(57)【要約】  メディア権利を配布するための方法は、メディア権利保有者による配布のためのメディア権利を取得するステップ１０２と、前記メディア権利保有者から１以上の条件付きユーザにメディアコンテンツを送信するステップ１０３と、を含む。前記メディア権利保有者の状態に関連する条件の終了時に、前記１以上の条件付きユーザのメディア権利が無効化される１１２。
2008536197.tif 000002
【特許請求の範囲】
【請求項１】
メディア権利を配布するための方法であって、
メディア権利保有者による配布のためのメディア権利を取得するステップと、
前記メディア権利保有者から１以上の条件付きユーザにメディアコンテンツを送信するステップと、
前記メディア権利保有者の状態に関連する条件の終了時に、前記１以上の条件付きユーザのメディア権利を無効化するステップと、
を有する方法。
【請求項２】
前記メディア権利を送信するステップは、ネットワークから前記メディアコンテンツをダウンロードするステップを含む、請求項１に記載の方法。
【請求項３】
前記メディア権利を取得するステップは、メディア権利プロバイダから前記メディア権利を購入するステップを含む、請求項１に記載の方法。
【請求項４】
前記メディアコンテンツを送信するステップは、所与のエリアにおける条件付きユーザに前記メディアコンテンツを放送するステップを含む、請求項１に記載の方法。
【請求項５】
前記メディアコンテンツを送信するステップは、明示的に指定された条件付きユーザに前記メディアコンテンツを転送するステップを含む、請求項１に記載の方法。
【請求項６】
前記転送するステップは、ｅメール、ファイル転送及びインスタント・メッセージングのうちの少なくとも１つにより実行される、請求項５に記載の方法。
【請求項７】
前記１以上の条件付きユーザのメディア権利を無効化するステップは、前記メディア権利保有者がオフラインとなったときに前記メディア権利を無効化するステップを含む、請求項１に記載の方法。
【請求項８】
前記１以上の条件付きユーザのメディア権利を無効化するステップは、前記メディア権利保有者が送信のために利用される装置をスイッチオフしたときに前記メディア権利を無効化するステップを含む、請求項１に記載の方法。
【請求項９】
前記１以上の条件付きユーザにより前記メディアコンテンツを条件付きで利用するステップを更に有する、請求項１に記載の方法。
【請求項１０】
前記条件付きで利用するステップは、同一のメディアコンテンツのメディア権利保有者による利用とは独立して、前記１以上の条件付きユーザにより前記メディアコンテンツを条件付きで利用するステップを含む、請求項９に記載の方法。
【請求項１１】
前記条件付きユーザに販売のための前記メディアコンテンツを提示するステップを更に有する、請求項１に記載の方法。
【請求項１２】
前記メディア権利保有者の状態に関連する条件の終了時に、前記１以上の条件付きユーザのメディア権利を無効化するステップは、前記１以上の条件付きユーザにライセンス更新情報を定期的に送信し、前記ライセンス更新情報の送信の失敗により前記メディア権利を無効化するステップを含む、請求項１に記載の方法。
【請求項１３】
機械により読み取り可能なプログラム記憶装置であって、請求項１に記載の方法ステップを実行するための、前記機械により実行可能な命令のプログラムを実施化する装置。
【請求項１４】
メディア権利を配布するための方法であって、
認可されたメディアコンテンツを、メディア権利保有者から１以上の条件付きユーザに送信するステップと、
前記メディア権利保有者の装置の状態に関連する、前記メディア権利保有者により実行された行動に基づいて、条件の状態を決定するステップと、
前記条件が満たされている場合、前記１以上の条件付きユーザが前記メディアコンテンツの利用を継続することを許可するステップと、
前記条件が満たされていない場合、前記１以上の条件付きユーザによる前記メディアコンテンツの利用のためのメディア権利を無効化するステップと、
を有する方法。
【請求項１５】
前記送信するステップは、所与のエリアにおける条件付きユーザに前記メディアコンテンツを放送するステップを含む、請求項１４に記載の方法。
【請求項１６】
前記送信するステップは、明示的に指定された条件付きユーザに前記メディアコンテンツを転送するステップを含む、請求項１４に記載の方法。
【請求項１７】
前記転送するステップは、ｅメール、ファイル転送及びインスタント・メッセージングのうちの少なくとも１つにより実行される、請求項１６に記載の方法。
【請求項１８】
前記条件の状態は、前記送信するステップを実行するために前記メディア権利保有者により利用される装置の動作状態を含む、請求項１４に記載の方法。
【請求項１９】
前記条件の状態はメディア権利保有者の装置についての電源状態を含み、前記装置がスイッチオンされている間前記条件が満たされる、請求項１４に記載の方法。
【請求項２０】
前記条件の状態は信号強度を含み、前記条件付きユーザが前記メディア権利保有者から利用可能な信号を受信している間前記条件が満たされる、請求項１４に記載の方法。
【請求項２１】
同一のメディアコンテンツのメディア権利保有者による利用とは独立して、前記１以上の条件付きユーザにより前記メディアコンテンツを条件付きで利用するステップを更に有する、請求項１４に記載の方法。
【請求項２２】
前記条件が満たされていない場合、前記１以上の条件付きユーザによる前記メディアコンテンツの利用のためのメディア権利を無効化するステップは、前記１以上の条件付きユーザにライセンス更新情報を定期的に送信し、前記ライセンス更新情報の送信の失敗により前記メディア権利を無効化するステップを含む、請求項１４に記載の方法。
【請求項２３】
機械により読み取り可能なプログラム記憶装置であって、請求項１４に記載の方法ステップを実行するための、前記機械により実行可能な命令のプログラムを実施化する装置。
【請求項２４】
メディア権利を配布するためのシステムであって、
他の装置と通信し、条件付き利用のためのメディア権利を前記他の装置に送信するように構成された第１の装置と、
利用の条件の基となる状態を監視するための少なくとも１つのモジュールと、
を有し、前記第１の装置は、メディアコンテンツの条件付き利用を許可し、前記利用の条件が満たされていない場合に前記メディア権利を無効化するシステム。
【請求項２５】
前記状態は前記第１の装置の電源状態を含み、前記第１の装置がスイッチオフされている場合前記条件が満たされない、請求項２４に記載のシステム。
【請求項２６】
前記状態は前記第１の装置の信号強度を含み、前記第１の装置が範囲外にある場合に前記条件が満たされない、請求項２４に記載のシステム。
【請求項２７】
前記第１の装置は前記他の装置と無線で通信する、請求項２４に記載のシステム。
【請求項２８】
前記第１の装置は前記他の装置とネットワークを介して通信する、請求項２４に記載のシステム。
【請求項２９】
前記状態は条件付きユーザに提供される定期的に更新されるライセンスを含み、前記定期的に更新されるライセンスが前記条件付きユーザに送信されない場合に前記条件が満たされない、請求項２４に記載のシステム。
【発明の詳細な説明】
【技術分野】
【０００１】
本発明は、メディアの転送に関し、更に詳細には、所定の条件が存在する間、メディア権利（media rights）を持つユーザがこれらメディア権利を転送するためのシステム及び方法に関する。
【背景技術】
【０００２】
メディア企業は、メディアコンテンツの配布において多くの問題に直面している。例えば著作権のようなコンテンツ権利を保護することが重要である一方で、これら権利から収益を生み出すためにはマーケティング及び適切な配布が必要となる。幾つかの手法は、コンテンツに含まれたデモンストレーション用のタイトル（title）のコピーをマーケティングしてきた。例えば、コンピュータゲームがインターネットを介した潜在的な購買者によってプレイされることができる簡易バージョンを持ち、曲の一部がユーザによって再生され、又はソフトウェアタイトルの制限されたバージョンが限定された時間の間ユーザに提供されても良い。
【発明の開示】
【発明が解決しようとする課題】
【０００３】
これらの手法は、少なくとも部分的に、消費者がコンテンツの完全なバージョン、即ちコンテンツの完全なバージョンであれば提供されるであろう全ての機能を提示されないことにより、しばしば消費者の期待を満足しない。それ故、個人がタイトルにより提供されるメディアコンテンツの完全なバージョンを経験することを許容しながら、メディア権利のための十分な保護を提供するシステム及び方法を持つことが有利となり得る。
【課題を解決するための手段】
【０００４】
メディア権利を配布するための方法は、メディア権利保有者による配布のためのメディア権利を取得するステップと、前記メディア権利保有者から１以上の条件付きユーザにメディアコンテンツを送信するステップと、を含む。前記メディア権利保有者の状態に関連する条件の終了時に、前記１以上の条件付きユーザのメディア権利が無効化される。
【０００５】
メディア権利を配布するためのシステムは、他の装置と通信し、条件付き利用のためのメディア権利を前記他の装置に送信するように構成された第１の装置を含む。少なくとも１つのモジュールが、利用の条件の基となる状態を監視する。前記第１の装置は、メディアコンテンツの条件付き利用を許可し、前記利用の条件が満たされていない場合に前記メディア権利を無効化する。監視される状態／条件は、条件付きユーザに提供される定期的に更新されるライセンスを含んでも良く、前記定期的に更新されるライセンスが前記条件付きユーザに送信されない場合に、前記条件は満足されないこととなる。
【０００６】
本発明のこれらの及び他の目的、特徴及び利点は、添付図面と共に参照されるべき以下の実施例の詳細な説明から明らかとなるであろう。
【発明を実施するための最良の形態】
【０００７】
本開示は、図を参照しながら、好適な実施例の以下の説明を詳細に提示する。
【０００８】
本開示は、所与の条件の下、個人が他者にメディアコンテンツ又はタイトルを配布することを可能とするシステム及び方法を提示する。一例において、所与のタイトルについてのメディア権利を持つユーザは、該ユーザにより指定された他者による利用の間、メディア権利を持つ該ユーザがオンラインでなければならないという条件の下で、他者に該タイトルを配布することができる。代替の実施例においては、ユーザは、該ユーザにより指定された他者に対して特定の距離内にいなければならない。これらの及び他の実施例は、以下により詳細に説明される。本開示は、本発明が実装され得る方法を説明するため、複数の異なる実施例を以下に説明する。これらの実施例は単に説明のためのものであって、限定のためのものと解釈されるべきではない。
【０００９】
ここで実施例の態様をより効率的に説明するため、本開示によれば以下のものが広く定義される。他者への配布のためのメディア権利を得る個人又は団体は、メディア権利保有者、権利保有者又は単に保有者と呼ぶ。権利保有者から配布された権利又は条件付きメディア権利を受ける個人又は団体は、権利受取者又は条件付き保有者若しくは条件付きユーザと呼ぶ。
【００１０】
図において示される構成要素は、種々の形態のハードウェア、ソフトウェア又はこれらの組み合わせにより実装され得ることは理解されるべきである。好ましくは、これらの構成要素は、プロセッサ、表示メモリ及び入出力インタフェースを持つ１以上の適切にプログラムされた汎用ディジタルコンピュータを利用しても良い、ハードウェアとソフトウェアとの組み合わせにより実装される。図に示された構成要素は、ハードウェアとソフトウェアとの種々の組み合わせにより実装され、単一の構成要素又は複数の構成要素に組み合わせられ得る機能を提供しても良い。加えて、図示される構成要素は、ネットワークにより分散させられても良いし、又は単一の場所に配置されても良い。
【００１１】
同様の数字が同一又は類似する構成要素を示す図をここで参照すると、最初に図１において、本発明による実施例の特徴及び態様を示す、システムの例１００が示されている。システム１００は、有線又は無線ネットワーク１８により実装されても良い。ネットワーク１８は、インターネット、ローカルエリアネットワーク、家庭用ネットワークのような指定ネットワーク、電話又はケーブルネットワーク、無線ネットワーク、衛星ネットワーク等を含んでも良い。ネットワーク１８は、所与のプロトコルを介した装置のインタラクション及び通信を提供する。それ故ネットワークの選択は限定のためのものと解釈されるべきものではない。
【００１２】
システム１００はメディア権利保有者装置１２を含み、該メディア権利保有者装置１２は、予め指定されたモジュール又はメディア権利保有者１２となり得るいずれかの装置を含んでも良い。メディア権利保有者１２は、条件付き保有者１４と、（ネットワーク１８を用いずに）直接、又はネットワーク１８を通して通信する。保有者１２及び条件付き保有者１４は、同一のタイプの装置を含んでも良いし、異なるタイプの装置を含んでも良い。保有者１２及び条件付き保有者１４は例えば、コンピュータ、キオスク、電話、セットトップボックス、外部通信が可能なパーソナル・ディジタル・アシスタント（ＰＤＡ）、又は同様の装置を含んでも良い。一実施例においては例えば、メディアタイトルの販売を促進するため、公共エリアにおけるキオスクからメディア権利が無線で配布される。
【００１３】
一実施例においては、メディア権利プロバイダ１６が、メディアコンテンツ（例えばタイトル）を利用する権利を、メディア権利保有者１２に認可する。メディア権利プロバイダ１６は、アーティスト、ソフトウェア会社、映画／ビデオプロバイダ等、又はメディア権利を付与する能力を持つ認可されたエージェントを含んでも良い。メディア権利プロバイダ１６は、音楽タイトル、ソフトウェアタイトル、映画／ビデオ、文学作品、又は他のいずれかのメディアコンテンツをダウンロードすることを認可された、（例えばサーバを含む）インターネット・サービス・プロバイダ（ＩＳＰ）を含んでも良い。他の実施例においては、メディア権利保有者１２がメディア権利の所有者であっても良い。
【００１４】
メディア権利保有者１２がコンテンツを受信し、該コンテンツを配布する権利を受けると、メディア権利保有者１２は、該メディアコンテンツを、１以上の条件付き保有者１４に送信することができる。条件付き保有者１４は次いで、所定の条件が存在する限りにおいて、該コンテンツを利用することを許可される。一例においては、前記所定の条件は、前記条件付き保有者による該コンテンツの利用の間、前記メディア権利保有者がオンラインであることを必要とすることを含む。他の例は、前記条件付きユーザの権利を維持するために、前記メディア権利保有者の装置がスイッチオンされている必要があることを含む。他の例においては、前記メディア権利保有者と条件付きユーザとの間の信号強度が、メディア権利が無効化されるか否かを決定する要因であっても良い。例えば該信号強度が閾値を下回った場合に、前記権利が終了／無効化される。
【００１５】
例えば、メディア権利保有者１２が、コンピュータゲームの認可されたコピーを持つとする。メディア権利保有者１２は、インスタント・メッセージング（instant messaging）、ｅメール、ファイル転送又はダウンロードを介して、条件付き保有者に該ゲームを送信する。状態モジュール２０は、メディア権利保有者の装置の状態を監視し、メディア権利保有者がネットワーク又は条件付き保有者の装置１４に接続されたままであることを確認する。状態モジュール２０は、ハードウェア又はソフトウェアの形で、メディア権利保有者の装置１２に配置されても良い。一例においては、メディア権利保有者１２がログオフしたとき又はシャットダウンしたときに、メディア権利保有者１２により与えられていた現在の条件付きユーザの条件付き権利を無効化又は終了させる信号が、該現在の条件付きユーザの装置１４に送信される。
【００１６】
メディア権利保有者若しくは条件付き保有者１４によって、又はメディア権利保有者のサインオフによって接続が切断された場合、条件付きメディア権利は取り下げられ、条件付き保有者１４はもはや、条件付き保有者１４に条件付きで送信されたメディアコンテンツを利用することができない。このことは、メディア権利保有者１２の行動を監視する条件付き保有者１４によって実行されても良い。このことは、メディア権利保有者の装置１２の条件又は状態を確認する、条件付き保有者の装置１４上で動作するプログラム又はアプリケーション（該条件付き保有者にコンテンツの一部として送信されても良い）を含んでも良い。
【００１７】
特に有用な実施例においては、非常に短い期間内で終了する（例えば１分毎又は数分毎に）ライセンスが利用され得る。条件付き保有者１４は、条件付きユーザ１４が権利保有者１２と接続している限りにおいて、新たなライセンスを期間毎に（例えば１分毎に）受信する。（何らかの理由で）該接続が切断されると、条件付きユーザ１４はライセンス更新情報を取得しない。条件付きユーザの現在のライセンスが終了した後（例えば１分後）、ユーザ１４は保護されたメディアをもはや利用することはできなくなる。
【００１８】
状態モジュール２０は、メディア権利保有者装置１２に配置されても良いし、若しくは条件付き保有者の装置１４に配置されても良いし、又は双方に分散されても良い。状態モジュール２０はソフトウェアで実装されても良く、メディア権利保有者１２が特定の地理的エリア内でオンライン、即ちネットワークに接続されたままであるかをチェックしても良い（例えば位置を決定するめに無線パワー信号又は全地球測位システムを利用して）。状態モジュール２０は、保有者１２の行動を監視し、ユーザ１４に更新情報を送信する。該ユーザの位置において、ユーザ１４はモジュール２０からの更新情報を待機する。該更新情報は、保有者１２の状態又は新たな一時的ライセンスを含んでも良い。所定の時間が経過した後にも更新情報又はライセンスが受信されなかった場合には、メディア権利が無効化される。更新情報を送出するための時間は、システムクロック又は指定された計時装置２２により監視されても良い。
【００１９】
他の実施例においては、前記条件は、経過時間又は利用時間を含む。タイマ２２はソフトウェアで実装されても良く、メディア権利保有者の装置１２又は条件付き保有者の装置１４上に配置され実行されても良い。条件付き保有者の装置１４は、条件付き権利が終了するであろうことを思い出させる又は示すものとして、経過時間、残り時間又は利用時間のディスプレイを含んでも良い。
【００２０】
条件付き保有者１４は、メディア権利保有者１２とは独立に、及び他の条件付き保有者１４とは独立に、メディアコンテンツを実行又は再生しても良いことは理解されるべきである。例えば、メディア権利保有者１２は、メディア権利プロバイダ１６から曲をダウンロードする。保有者１２は十分に該曲を楽しみ、該ユーザの何人かの友人（条件付き保有者１４）に該曲を送信したいと欲する。保有者１２は該曲をインスタント・メッセージ、ｅメール若しくはファイル転送で送信するか、又は条件付き保有者１４がメディア権利保有者１２のファイル記憶空間（メモリ）にアクセスすることを許可する。条件付き保有者１４は、条件が満たされている限りにおいて、該曲を聴くことができる。例えば該条件は、メディア権利保有者１２がオンラインであること、条件付き保有者１４に直接接続されていること（例えば電話又は無線通信によって）、又は他の条件若しくは条件の組み合わせを満足することであっても良い。他の条件は経過時間であっても良く、又は条件付きユーザに対して該曲が再生される回数を制限しても良い。条件付き保有者１４は、利用の条件が満たされている限りにおいて、メディア権利保有者１２の行動とは独立に該曲を再生することができる。
【００２１】
他の実施例においては、メディア権利保有者１２は、メディア権利を条件付き保有者１４に放送しても良い。これらの権利は、メディア権利保有者１２が条件付き保有者１４から所定の範囲内にいる場合にのみ有効となる。このことは、メディア権利保有者１２が範囲内にいる間、保有者１２がメディアコンテンツを条件付き保有者１４に配布することを可能とする。該保有者が範囲外に出ると、条件付き保有者１４は、該権利を失い該メディアコンテンツへのアクセスを失う。
【００２２】
メディアコンテンツをサポートし、該メディアコンテンツを他者に通信することが可能ないずれの装置も、メディア権利保有者１２の役を担い得る。
【００２３】
図２を参照すると、２つの装置３０及び３２が示されている。装置３０及び３２は、携帯電話、コンピュータ、ＰＤＡ、セットトップボックス等、又はこれらの組み合わせのうち１以上を含んでも良い。図２は２つの装置を示しているが、システムは複雑なメディア権利保有者・条件付き保有者間の関係を伴う、より多くの装置を含んでも良い。装置３０は、タイトルＡについてのメディア権利保有者である。タイトルＡは、例えば曲のタイトルのような、いずれのタイプのメディアコンテンツであっても良い。装置３２は、タイトルＢについてのメディア権利保有者である。タイトルＢは、例えばゲームのタイトルのような、いずれのタイプのメディアコンテンツであっても良い。装置３０は、タイトルＡに対する条件付きメディア権利を装置３２が持つことを許可する。このことは、装置３２が、タイトルＢに対する条件付きメディア権利を装置３０が持つことを許可することにより応答される。このことは同時に実行されても良いし、順次実行されても良い。
【００２４】
条件付き保有者の状態に基づくメディアの再生又は利用は、それぞれのメディア権利保有者の行動とは独立して実行されても良いことは理解されるべきである。例えば、装置３２がタイトルＡを再生している間に装置３０がタイトルＢを再生しても良いし、又は装置３０と３２とがタイトルＡを同時に若しくは異なる時間に再生しても良いし、同様にタイトルＢを再生しても良い。
【００２５】
図１に戻ると、メディア権利プロバイダは該プロバイダのメディア権利を配布及び販売したいと欲しているため、メディア権利保有者１２によって提供されたメディアコンテンツの、条件付き保有者１４による利用の間又は利用の後、メディアコンテンツ又は該コンテンツの権利を条件付き保有者１４に提示するための画面を、購買モジュール２６が生成しても良い。例えば、セッションの間、保有者１２はタイトルを条件付き保有者１４に転送する。該タイトルの条件付き保有者による利用の間、条件付き保有者１４への販売のための該タイトルを提示するための画面が生成される。代替として、該提示は、メディア権利が無効化された後（例えばメディア権利保有者１２がオフラインとなった後等）に提示されても良い。
【００２６】
購買の管理は、メディア権利保有者１２によって提供されても良いし、メディア権利プロバイダ１６によって提供されても良い。なぜなら、通信はどちらの団体にもリンクされ得るからである。条件付きユーザ１４が接続された後、プロバイダ１６は購買を勧誘するため該ユーザ１４に直接連絡をとっても良い。購買モジュール２６は、例えばクレジットカード情報、有効期限、名前及びｅメールアドレス等のような、購買を実行するための金融データ及び／又は個人データを入力することを条件付きユーザ１４に促す、例えばウェブページ、メニュー及びポップアップ等のインタフェースを生成する。メディア権利の購買時に、コンテンツが条件付き保有者１４に送信されても良い。
【００２７】
システム１００は好ましくは、ユーザのからの要求に応答するのではなく、保有者１２からコンテンツを送出することは留意されるべきである。このことは、条件付きで与えられるメディア権利が、法的に保有者１２により所有されていることを確実にする。
【００２８】
図３を参照すると、メディア権利を配布するための方法が示されている。ブロック１０２において、メディア権利保有者は、配布のためのメディア権利を取得する。このことは、ネットワークからのメディアコンテンツのダウンロード、小売店を通したメディアコンテンツの購買、又はインターネットサービスプロバイダ又はウェブサイト等（例えばメディア権利プロバイダ）からのオンラインでの購買によって、認可されたメディア権利を取得することを含んでも良い。ブロック１０３において、メディアコンテンツが、メディア権利保有者から１以上の条件付きユーザに送信される。このことは、例えば所与のエリアにおける条件付きユーザへの該メディアコンテンツの放送、明示的に指定された条件付きユーザへの該メディアコンテンツの転送を含んでも良い。該転送は、例えばｅメール、ファイル転送及び／又はインスタント・メッセージングによる権利／コンテンツの転送を含んでも良い。ブロック１０３は、条件付きユーザを明示的に指定する（例えばｅメール）こと、又は例えばモール等のような公共の場所における送信キオスクの周囲のエリアのような所与のエリアにおけるユーザへ一般放送を送信することを含んでも良い。
【００２９】
ブロック１０５において、１以上の条件付きユーザは、メディア権利保有者により提供されたメディアコンテンツを条件付きで利用する。このことは、メディア権利保有者による同一のメディアコンテンツ又は別のメディアコンテンツの利用とは独立に実行される。例えば、条件付きユーザによるメディアコンテンツの条件付きの利用は好ましくは、同一のメディアコンテンツのメディア権利保有者による利用とは独立である。一実施例においては、メディア権利保有者は条件付きユーザにコンテンツを送信するが、メディア権利なしでは該コンテンツは利用可能ではない。条件付きユーザはコンテンツを保存しても良いが、メディア権利が無効化された場合は該コンテンツは利用され得ない。権利の無効化は複数の方法で実行され得、キー、アクセスコード、暗号化コード、又は時間により若しくは例えばメディア権利保有者の装置の状態に基づく終了イベントの発生により終了するその他のセキュリティ機能を提供することを含んでも良い。
【００３０】
ブロック１０６において、１以上の条件の状態が監視される。好ましくはメディア権利保有者の状態に関連する条件の終了時（条件が満たされなくなったとき）に、１以上の条件付きユーザについてメディア権利が無効化される。監視ステップ１０６の一部は、メディア権利保有者により行われた行動に基づいて条件の状態を決定することを含む。該行動は好ましくは、メディア権利保有者の装置の状態に関連するものである。例えば、ブロック１０７において、１以上の条件の不満足は、メディア権利保有者がオフラインになったとき、メディア権利保有者が送信のために利用される装置をスイッチオフしたとき、経過時間が設定された閾値を超えたとき、メディア権利保有者（又は条件付きユーザ）が範囲外に出たとき等を含んでも良い。
【００３１】
ブロック１０８において、条件の満足がチェックされる。条件が満たされている場合、ブロック１１０において、１以上の条件付きユーザはメディアコンテンツの利用を継続することができる。条件が満たされていない場合、ブロック１１２において、１以上の条件付きユーザによるメディアコンテンツの利用のためのメディア権利が無効化される。条件の状態は、送信を実行するためにメディア権利保有者により利用される装置の動作状態を含んでも良い。条件の状態はメディア権利保有者の装置のための電源状態を含んでも良く、該装置がスイッチオンされている間、該条件が満たされる。条件の状態は信号強度を含んでも良く、条件付きユーザがメディア権利保有者から利用可能な信号を受信している間、該条件が満たされる。
【００３２】
ブロック１１４において、メディア権利保有者又はメディア権利プロバイダは、条件付きユーザに対して販売のためのメディアコンテンツを提示しても良い。該提示は、セッションの間又はセッションの後のいずれの時間に為されても良い。コンテンツは独立に送信されても良いし又は同時に送信されても良いため、条件付きユーザが該条件付きユーザの装置に既に保存されたメディアコンテンツを持っている場合にも、権利の無効化が実行されても良い（例えば、権利とコンテンツとは別個に販売されても良い）。このようにして、販売の提示が為され条件付きユーザにより受諾された場合に、適切な料金の支払いとともにコンテンツが自由にアクセス可能となる。このことは、一度入力されるとコンテンツが条件付きユーザによって自由にアクセス可能となるような異なるセキュリティコード又はキーを送信することによって該ユーザに提供される。完全な権利が条件付きユーザによって購入されるか又はリースされると、ブロック１１８において、条件付きユーザは該購入したコンテンツについてメディア権利保有者となり、該コンテンツを上述したように条件付きユーザに送信しても良い。
【００３３】
ここで説明された方法は、機械によって読み取り可能なプログラム記憶装置であって、本方法のステップを実行するために該機械によって実行可能な命令のプログラムを実施化する装置によって実装されても良い。本発明の特徴及び構成要素は複数の方法で組み合わせられても良く、斯かる組み合わせはここで説明された実施例のために考慮されている。
【００３４】
所定の条件下でメディア権利を転送するためのシステム及び方法についての好適な実施例が説明されたが（説明のためのものであって限定のためのものではないことが意図されている）、以上の教示を鑑みて当業者によって変更及び変形が為され得ることに留意されたい。それ故、開示された本発明の特定の実施例において、添付された請求項により示されるような開示された実施例の範囲及び精神の範囲内である変更が為され得ることは理解されるべきである。特許法により要求される細部及び詳細がかくして説明されたが、特許証によって保護される請求されるもの及び所望されるものは、添付される請求項に示される。
【図面の簡単な説明】
【００３５】
【図１】実施例による１以上の条件に基づいてメディア権利を配布及び無効化するためのシステムを示すブロック図である。
【図２】種々のタイトルについてのメディア権利が２つの団体間で同時に共有される、実施例によるシステムを示すブロック図である。
【図３】実施例による１以上の条件に基づいてメディア権利を配布及び無効化するためのシステム／方法を示すブロック／フロー図である。
【図１】
2008536197.tif 000003
【図２】
2008536197.tif 000004
【図３】
2008536197.tif 000005
【国際調査報告】
2008536197.tif 000006
2008536197.tif 000007